(57)【特許請求の範囲】
【請求項１】
車体上に搭載された塵芥収容箱と、該塵芥収容箱の後方開口部に連設され、内部に塵芥積込装置を装備した塵芥投入箱とを備えた塵芥収集車であって、
上記塵芥積込装置は、上記塵芥投入箱内において摺動シリンダの伸縮動作により上下方向に摺動自在な摺動板と、該摺動板の下端部に揺動シリンダの伸縮動作により前後方向に揺動自在な圧縮板とを備え、
上記摺動シリンダ及び揺動シリンダの伸縮動作により摺動板と圧縮板とが反転、下降、圧縮及び上昇を１サイクルとして作動することで、投入口を通じて塵芥投入箱に投入された塵芥を塵芥収容箱に積込むように構成され、
上記摺動シリンダは、上記塵芥投入箱の左右側壁の外方にそれぞれ配置され、
上記摺動板は、上記左右の摺動シリンダのシリンダロッド先端と摺動板支持軸によって結合され、
上記塵芥投入箱の左右側壁には、上記摺動板支持軸が移動するための摺動用開口が形成され、
上記摺動シリンダのシリンダチューブ先端よりも上記シリンダロッド先端側には、支持用ブラケットが設けられ、該支持用ブラケットには、上記シリンダロッドに付着した塵芥を掻き取る塵芥掻取手段が着脱自在に設けられている
ことを特徴とする塵芥収集車。
【請求項２】
請求項１に記載の塵芥収集車において、
上記塵芥掻取手段は、上記シリンダロッドの外径よりも若干大きい内径を有して該シリンダロッド外周の少なくとも一部を覆うように、シリンダチューブ先端に支持される掻取部材を備えている
ことを特徴とする塵芥収集車。
【請求項３】
請求項１に記載の塵芥収集車において、
上記塵芥掻取手段は、シリンダロッド外周に接しながらその少なくとも一部を覆うように、シリンダチューブ先端に支持される掻取部材を備えている
ことを特徴とする塵芥収集車。
【請求項４】
請求項２又は３に記載の塵芥収集車において、
上記掻取部材は、上記シリンダロッドの外周全体を覆うと共に、該シリンダロッドを覆うように取り付けられる際に開くスリットを備えている
ことを特徴とする塵芥収集車。
【請求項５】
請求項２又は３に記載の塵芥収集車において、
上記掻取部材は、上記シリンダロッドの外周全体を覆うと共に、２分割可能に構成されている
ことを特徴とする塵芥収集車。
【発明の詳細な説明】
【技術分野】
【０００１】
本発明は、車体上に搭載された塵芥収容箱と、この塵芥収容箱の後方開口部に連設され、内部に塵芥積込装置を装備した塵芥投入箱とを備えた塵芥収集車に関するものである。
【背景技術】
【０００２】
従来より、車体上に搭載された塵芥収容箱と、この塵芥収容箱の後方開口部に連設され、内部に塵芥積込装置を装備した塵芥投入箱とを備え、塵芥積込装置は、上記塵芥投入箱内において摺動シリンダの伸縮動作により上下方向に摺動自在な摺動板と、該摺動板の下端部に揺動シリンダの伸縮動作により前後方向に揺動自在な圧縮板とを備え、上記摺動シリンダ及び揺動シリンダの伸縮動作により摺動板と圧縮板とが反転、下降、圧縮、上昇を１サイクルとして作動することで、投入口を通じて塵芥投入箱に投入された塵芥を塵芥収容箱に積込むように構成され塵芥収集車は知られている（例えば、特許文献１参照）。
【特許文献１】特開２００４−２４４１９０号公報
【発明の開示】
【発明が解決しようとする課題】
【０００３】
しかしながら、従来の塵芥収集車では、摺動シリンダは、塵芥投入箱の左右側壁の外方にそれぞれ配置され、摺動板は、左右の摺動シリンダのシリンダロッド先端と摺動板支持軸によって結合されているので、摺動板支持軸が上下に移動するために、塵芥投入箱の左右側壁には、摺動板の摺動方向に沿って伸びる摺動用開口が形成されている。
【０００４】
このため、塵芥投入箱内の塵芥、例えば、発泡スチロール、ビニール袋等の樹脂製塵芥が摺動用開口から漏れだし、摺動シリンダに付着する場合がある。摺動シリンダには、通常ダストシールが設けられ、シリンダロッドに付着した塵芥がシリンダ内に入らないように構成されている。しかし、樹脂製塵芥が、シリンダロッドに付着したときに、繰り返し伸縮された摺動シリンダの持つ熱により溶ける場合があり、これら溶着した塵芥により、シリンダのシールが破損し、摺動シリンダから油が漏れるという問題があった。
【０００５】
さらに、溶着した塵芥が摺動シリンダのシールを通り過ぎ、シリンダの作業油に混入する場合もあり、そのときには、油圧回路に設けたフィルタにこれら塵芥が付着し、油圧ポンプのキャビテーションなど油圧機器に各種の問題を引き起こしていた。
【０００６】
本発明は、かかる点に鑑みてなされたものであり、その目的とするところは、シリンダロッドに付着した塵芥が摺動シリンダ内に混入するのを防いで、摺動シリンダからの油漏れや油圧ポンプのキャビテーションなど油圧機器の故障を防止することにある。
【課題を解決するための手段】
【０００７】
上記の目的を達成するために、この発明では、塵芥掻取手段により、摺動シリンダのシリンダロッドに付着した塵芥を掻き取るようにした。
【０００８】
具体的には、第１の発明では、車体上に搭載された塵芥収容箱と、該塵芥収容箱の後方開口部に連設され、内部に塵芥積込装置を装備した塵芥投入箱とを備えた塵芥収集車を対象とする。
【０００９】
そして、上記塵芥積込装置は、上記塵芥投入箱内において摺動シリンダの伸縮動作により上下方向に摺動自在な摺動板と、該摺動板の下端部に揺動シリンダの伸縮動作により前後方向に揺動自在な圧縮板とを備え、
上記摺動シリンダ及び揺動シリンダの伸縮動作により摺動板と圧縮板とが反転、下降、圧縮及び上昇を１サイクルとして作動することで、投入口を通じて塵芥投入箱に投入された塵芥を塵芥収容箱に積込むように構成され、
上記摺動シリンダは、上記塵芥投入箱の左右側壁の外方にそれぞれ配置され、
上記摺動板は、上記左右の摺動シリンダのシリンダロッド先端と摺動板支持軸によって結合され、
上記塵芥投入箱の左右側壁には、上記摺動板支持軸が移動するための摺動用開口が形成され、
上記摺動シリンダのシリンダチューブ先端よりも上記シリンダロッド先端側には、支持用ブラケットが設けられ、該支持用ブラケットには、上記シリンダロッドに付着した塵芥を掻き取る塵芥掻取手段が着脱自在に設けられている。
【００１０】
すなわち、塵芥投入箱の左右側壁に設けた摺動用開口は、摺動板支持軸が移動するために必須なものであるが、この摺動用開口から塵芥投入箱内の塵芥が漏れ出す場合がある。漏れ出した樹脂製塵芥が、シリンダロッドに付着したときに、繰り返し伸縮された摺動シリンダの持つ熱により溶けて溶着する場合がある。しかし、上記の構成によると、摺動シリンダのシリンダチューブ先端よりも上記シリンダロッド先端側の支持用ブラケットに着脱自在に設けた塵芥掻取手段により、シリンダロッドを縮退させる際にシリンダロッドに付着あるいは溶着した樹脂製塵芥等を掻き取るので、摺動シリンダのシールが破損したり、塵芥が摺動シリンダのシールを通り過ぎてシリンダの作業油に混入して油圧回路に設けたフィルタにこれら塵芥が付着したりすることはない。
【００１１】
第２の発明では、上記塵芥掻取手段は、上記シリンダロッドの外径よりも若干大きい内径を有して該シリンダロッド外周の少なくとも一部を覆うように、シリンダチューブ先端に支持される掻取部材を備えている。
【００１２】
上記の構成によると、シリンダロッドを縮退させる際にシリンダチューブ先端に支持された掻取部材の内面でシリンダロッド外周の少なくとも一部に付着した塵芥を確実に掻き取るので、塵芥がシリンダロッドに溶着することなく、摺動シリンダのシールが破損したり、塵芥が摺動シリンダのシールを通り過ぎてシリンダの作業油に混入して油圧回路に設けたフィルタにこれら塵芥が付着したりすることはない。掻取部材は、シリンダロッド外周の全体を覆ってもよく、例えば、摺動用開口側のみを覆ってもよい。
【００１３】
第３の発明では、上記塵芥掻取手段は、シリンダロッド外周に接しながらその少なくとも一部を覆うように、シリンダチューブ先端に支持される掻取部材を備えている。
【００１４】
上記の構成によると、シリンダロッドを縮退させる際にシリンダチューブ先端に支持された掻取部材の内面でこすりながらシリンダロッド外周の少なくとも一部に付着した塵芥を確実に掻き取るので、塵芥がシリンダロッドに溶着することなく、摺動シリンダのシールが破損したり、塵芥が摺動シリンダのシールを通り過ぎてシリンダの作業油に混入して油圧回路に設けたフィルタにこれら塵芥が付着したりすることはない。掻取部材は、シリンダロッド外周の全体を覆ってもよく、例えば、摺動用開口側のみを覆ってもよい。
【００１５】
第４の発明では、上記掻取部材は、上記シリンダロッドの外周全体を覆うと共に、該シリンダロッドを覆うように取り付けられる際に開くスリットを備えている。
【００１６】
上記の構成によると、掻取部材にスリットを設けることで、掻取部材をシリンダロッド外周に嵌め込む際に、スリットが開いて嵌め込みやすいので、取付作業や交換作業が容易である。また、全体を覆うことで、確実にシリンダロッド外周に溶着した塵芥が掻き取られる。
【００１７】
第５の発明では、上記掻取部材は、上記シリンダロッドの外周全体を覆うと共に、２分割可能に構成されている。
【００１８】
上記の構成によると、２分割可能なため、分割したそれぞれを合わせることにより、シリンダロッドの外周全体が覆われるので、嵌め込みやすく、取付作業や交換作業が容易である。また、全体を覆うことで、確実にシリンダロッド外周に溶着した塵芥が掻き取られる。
【発明の効果】
【００１９】
以上説明したように、本発明によれば、摺動シリンダのシリンダチューブ先端よりもシリンダロッド先端側の支持用ブラケットにシリンダロッドに付着あるいは溶着した塵芥を掻き取る塵芥掻取手段を着脱自在に設けている。このため、シリンダロッドに塵芥が付着あるいは溶着しても、シリンダロッドを縮退させる際にそれを塵芥掻取手段によって確実に掻き取ることにより、シールの破損を防いで摺動シリンダからの油漏れを防ぐことができる。また、シリンダロッドの熱により溶着した塵芥が摺動シリンダのシールを通り過ぎてシリンダの作業油に混入することはないので、油圧回路に設けたフィルタにこれら塵芥が付着して油圧ポンプのキャビテーションなど油圧機器に各種の問題を引き起こすのを防ぐことができる。
【発明を実施するための最良の形態】
【００２０】
以下、本発明の実施形態を図面に基づいて説明する。
【００２１】
図１は、本発明の実施形態にかかる塵芥収集車の概略構成を示している。図１において、塵芥収集車１の車体２上に塵芥収容箱３が搭載されている。この塵芥収容箱３の後方開口部４には、その上方で投入箱支持ピン５により軸支された塵芥投入箱６が設けられている。この塵芥投入箱６は、塵芥収容箱３と塵芥投入箱６との間に設けられた図示しない回動シリンダにより、投入箱支持ピン５を中心に回動自在に構成されている。
【００２２】
塵芥投入箱６の後部には投入口７が開口され、その内部には塵芥積込装置３０が装備されている。塵芥積込装置３０は、塵芥投入箱６内に投入口７を通じて投入された塵芥を圧縮して塵芥収容箱３内に積込むためのものである。
【００２３】
図２にも示すように、塵芥投入箱６の両側壁には溝型鋼で形成された案内溝部材８が補強枠を兼ねて前方上部より後方下部に向かって敷設されている。塵芥投入箱６内にはその横幅一杯に広がる摺動板１０が収容されている。この摺動板１０の両側縁の上下には、案内ローラ１１が回転可能に設けられている。これらの案内ローラ１１は、上記案内溝部材８の内壁に沿って摺動自在に嵌入されている。
【００２４】
上記摺動板１０の背面上部の左右端部に設けたボス部２０には、摺動板支持軸１２が挿通されている。この摺動板支持軸１２が摺動板１０の摺動距離に合致して塵芥投入箱６の側壁に形成された摺動用開口３１を越えて塵芥投入箱６の内側より外側に突出するように配置されている。
【００２５】
図３及び図４に拡大して示すように、塵芥投入箱６の側壁から外側に突出した摺動板支持軸１２と塵芥投入箱６の下部間には、塵芥投入箱６の外側で案内溝部材８の傾斜方向に沿って設けられた摺動シリンダ１３が連結されている。摺動シリンダ１３は、棒状のシリンダロッド１３ａと、塵芥投入箱６の側壁に取り付けられた円筒状のシリンダチューブ１３ｂとを備えている。シリンダチューブ１３ｂには、油圧配管をつなぐための円筒状の配管用ポート１３ｃが突出して形成されている。この摺動シリンダ１３の伸縮作動によって摺動板１０を案内溝部材８に沿って上下に往復移動させるようにしている。
【００２６】
図１に示すように、上記摺動板１０の下端には、塵芥投入箱６の横幅一杯に広がる圧縮板１５が前後に揺動自在に支持されている。この圧縮板１５の先端は前方に向かって若干屈折形成されている。上記圧縮板１５の背面に突設した接続部１５ａと上記摺動板１０の背面上部に設けられた摺動板支持軸１２との間には、揺動シリンダ１４が連結され、この揺動シリンダ１４の伸縮作動によって上記圧縮板１５を前後に揺動させるようにしている。
【００２７】
上記塵芥収容箱３内には排出板１７が前後方向に摺動自在に配設されている。排出板１７は、塵芥収容箱３の横幅及び上下高さと略同じ大きさに形成された板状体であり、図示しない排出シリンダの伸縮動作により塵芥収容箱３内を前後に摺動するようになされている。
【００２８】
そして、本発明の特徴として、図３及び図４に拡大して示すように、上記摺動シリンダ１３のシリンダチューブ１３ｂ先端には、シリンダロッド１３ａに付着した塵芥を掻き取る塵芥掻取手段３２が設けられている。
【００２９】
図５に拡大して示すように、上記塵芥掻取手段３２は、シリンダチューブ１３ｂ先端に支持される掻取部材３３を備えている。掻取部材３３は、２つの角部に面取り３３ａが形成された矩形板状の布入りゴムよりなり、例えば、剛性の高い布入りコンベアベルトを切断して形成されている。その中心には、シリンダロッド１３ａの外径よりも若干大きい内径を有するロッド挿入孔３３ｂが形成されている。例えば、ロッド挿入孔３３ｂの内径は、シリンダロッド１３ａの外径よりも約６．０ｍｍ程度大きく設定されている。このように、掻取部材３３は、隙間ｔ（＝３．０ｍｍ）をあけてシリンダロッド１３ａの外周全体を覆っている。このように隙間を設け、この隙間に引っ掛かったビニール袋などの塵芥を毎日の点検で取り除くようにしている。
【００３０】
掻取部材３３は、面取り３３ａと反対側にロッド挿入孔３３ｂに至るスリット３３ｃを備えている。このスリット３３ｃを開くことにより、シリンダロッド１３ａを覆うように取り付けることができるようになっている。このため、取付作業や交換作業が容易となっている。掻取部材３３のスリット３３ｃ側には、該スリット３３ｃを挟むように２つのボルト挿通孔３３ｄが形成されている。
【００３１】
上記シリンダチューブ１３ｂ先端には、支持用ブラケット３５が取り付けられている。図６に示すように、この支持用ブラケット３５は、薄い鋼板をＬ字状に折り曲げたもので、平面部３５ａと、折曲部３５ｂとを有している。
【００３２】
図３に示すように、平面部３５ａには、シリンダチューブ１３ｂの配管用ポート１３ｃを通すためのポート用開口３６が形成されている。このポート用開口３６を挟むように後述するＵボルト４２を挿通するための一対のＵボルト挿通孔３７が形成されている。平面部３５ａの折曲部３５ｂ側には、略矩形状の開口３８が形成されている。開口３８は、掻き取り部材３３に付着した塵芥を点検及び清掃するために設けたものである。
【００３３】
図６に示すように、折曲部３５ｂには、シリンダロッド１３ａの外側外周を覆う半円状のロッド挿通用開口３９が形成されている。折曲部３５ｂの内面には、２つのウェルドナット４０が溶接されている。なお、平面部３５ａには、シリンダチューブ１３ｂの外周に沿って円弧状に切り欠かれた二枚の補強用リブ４１等により補強されている。
【００３４】
支持用ブラケット３５は、図７に示すＵボルト４２によってシリンダチューブ１３ｂ先端に取り付けられるようになっている。Ｕボルト４２は、Ｕ字状に折り曲げられたバンド部４２ａの両端にネジ部４２ｂがそれぞれ溶接されたものである。図４に示すように、このＵボルト４２のバンド部４２ａでシリンダチューブ１３ｂ先端を挟み込んで、ネジ部４２ｂを支持用ブラケット３５のＵボルト挿通孔３７に挿通して締付ナット４３で締め付けることで、支持用ブラケット３５がシリンダチューブ１３ｂ先端に着脱自在に取り付けられている。
【００３５】
上記掻取部材３３は、上記折曲部３５ｂと略長方形の保持プレート４４との間に挟まれた状態で着脱自在に支持用ブラケット３５に支持されている。すなわち、掻取部材３３のスリット３３ｃを開いてシリンダロッド１３ａを覆うように取り付けた後、保持プレート４４のボルト挿通孔（図示せず）と、掻取部材３３のボルト挿通孔３３ｄに取付ボルト４５を挿通してウェルドナット４０に締め付けることで、掻取部材３３が支持用ブラケット３５に取り付けられている。
【００３６】
−塵芥積込装置の運転動作−
このように構成された塵芥積込装置３０は、図８に示すように、摺動シリンダ１３、揺動シリンダ１４がいずれも伸長して摺動板１０が上昇終了位置（最上位置）にある状態で、投入口７を通して塵芥５５を塵芥投入箱６内に投入し、図示しない始動スイッチをＯＮ操作することで、積込動作を開始する。なお、図８乃至図１１において、簡略化のために摺動シリンダ１３は、省略している。
【００３７】
まず、図８に示す状態で揺動シリンダ１４が縮退作動して圧縮板１５が反転作動し、反転終了位置（図９参照）に達する（反転工程）。この後、摺動シリンダ１３が縮退作動して摺動板１０が下降し、これに伴って圧縮板１５が下降工程に移行する。
【００３８】
次に、圧縮板１５が下降終了位置（図１０参照）に達すると、揺動シリンダ１４を伸長させて圧縮板１５を前方に揺動させ圧縮工程に移行する。
【００３９】
そして、圧縮板１５が最前方位置（図１１参照）まで揺動すると、摺動シリンダ１３を伸長させて圧縮板１５を上昇させることによって上昇工程に移行し、この圧縮板１５が上昇終了位置に達すると（図８参照）、一連の積込動作を終了する。
【００４０】
これにより反転、下降、圧縮、上昇の各工程を１サイクルとした塵芥積込動作を繰り返して行うことができる。
【００４１】
また、塵芥収容箱３に塵芥５５を積込む際において、塵芥収容箱３内の排出板１７は、最後方位置に配置されており、上記塵芥積込装置３０により積込まれる塵芥５５が排出板１７を押圧する力が所定以上に達した際に、排出シリンダが縮退することで徐々に前方に移動する。このような排出板１７の移動動作によって塵芥５５を圧縮しながら積込むことができる。
【００４２】
そして、このように塵芥５５を積込んで塵芥収容箱３が満杯状態になると、塵芥５５の排出作業に移る。すなわち、塵芥収集車１を塵芥処理場等へ移動させた後、回動シリンダを伸長させ、塵芥投入箱６を投入箱支持ピン５を中心にして上方に回動させて塵芥収容箱３の後部を開放状態にした後、排出シリンダを伸長させ、塵芥収容箱３の前部に位置する排出板１７を後方に移動させることで、この塵芥収容箱３内に収容された塵芥５５を排出する。
【００４３】
−塵芥掻取手段の作用−
次に、本実施形態にかかる塵芥掻取手段の作用について説明する。
【００４４】
上述した塵芥積込動作終了後は、摺動板１０は上昇終了位置で待機状態となる。塵芥積込動作を行っていると、摺動板１０には、発泡スチロール、ビニール袋等の塵芥５５が付着する。このため、上昇終了位置において、従来の塵芥収集車１が走行等を行うと、摺動板１０の上端等に付着した塵芥５５が、摺動用開口３１から塵芥投入箱６外に漏れだし、摺動シリンダ１３のシリンダロッド１３ａに付着することがある。特にこの塵芥５５が、樹脂製発泡スチロール、ビニール袋等である場合、繰り返し伸縮されることによりシリンダロッド１３ａが熱を帯びている場合、シリンダロッド１３ａの表面に溶着してしまうことがある。このため、シリンダロッド１３ａに付着した塵芥５５により、摺動シリンダ１３のダストシールなどのシール（図示せず）が破損し、摺動シリンダ１３から油が漏れるという問題があった。
【００４５】
また、溶着した塵芥５５が摺動シリンダ１３のシールを通り過ぎ、摺動シリンダ１３の作業油に混入する場合もあり、そのときには、油圧回路に設けたフィルタ（図示せず）にこれら塵芥５５が付着し、油圧ポンプ（図示せず）のキャビテーションなど油圧機器に各種の問題を引き起こしていた。
【００４６】
しかし、本実施形態では、摺動シリンダ１３のシリンダチューブ１３ｂ先端に塵芥掻取手段３２設けているので、シリンダロッド１３ａを縮退させる際に、この塵芥掻取手段３２がシリンダロッド１３ａに付着した樹脂製塵芥等を取り除くことができる。
【００４７】
すなわち、シリンダロッド１３ａを縮退させる際にシリンダチューブ１３ｂ先端に支持された掻取部材３３のロッド挿入孔３３ｂの内面でシリンダロッド１３ａ外周に付着した塵芥を引っ掛けるなどにより掻き取る。掻取部材３３は、シリンダロッド１３ａ外周全体を覆っているので、確実にシリンダロッド１３ａ外周に付着したビニール袋などの塵芥を引っ掛けることができる。
【００４８】
掻取部材３３を布入りゴムで構成しているので、耐摩耗性に優れ、繰り返し摺動シリンダ１３が伸縮してシリンダロッド１３ａ外周に溶着した塵芥を掻き取っても、摩耗しがたい。このため、頻繁に交換する必要はないので、メンテナンスの手間が省ける。
【００４９】
以上説明したように、本実施形態によれば、シリンダロッド１３ａに塵芥が付着しても、シリンダロッド１３ａを縮退させる際に、それを塵芥掻取手段３２によって掻き取ることにより、シールの破損を防いで摺動シリンダ１３からの油漏れを防ぐことができる。また、シリンダロッド１３ａの熱により溶着した塵芥が摺動シリンダ１３のシールを通り過ぎて摺動シリンダ１３の作業油に混入することはないので、油圧回路に設けたフィルタにこれら塵芥が付着して油圧ポンプのキャビテーションなど油圧機器に各種の問題を引き起こすのを防ぐことができる。
【００５０】
また、支持用ブラケット３５は、Ｕボルト４２によって容易に取り付け可能であるので、取付作業が容易であると共に、既存の塵芥収集車１に取り付けることも可能になる。また、掻取部材３３が摩耗すれば、支持用ブラケット３５から取り外して容易に交換することができる。
【００５１】
（その他の実施形態）
本発明は、上記実施形態について、以下のような構成としてもよい。
【００５２】
すなわち、上記実施形態では、掻取部材３３は、布入りゴム製としているが、耐熱性ゴムとしてもよい。この場合には、熱に強いため、隙間ｔを３ｍｍよりも小さくしてほとんど隙間をなくし、又はマイナス交差で圧入し、シリンダロッド１３ａ外周に溶着した塵芥をこすりながら掻き取るようにしてもよい。その形状は、シリンダロッド１３ａ外周の少なくとも一部を覆うものであればよい。このため、隙間をなくしてこすりながら塵芥を掻き取ることもできるので、確実に溶着した塵芥を掻き取ることができると共に、頻繁に交換する必要はないので、メンテナンスの手間を省くことができる。また、金属製や樹脂製であってもよい。
【００５３】
上記実施形態では、掻取部材３３にスリット３３ｃを設けたが、２分割可能に構成し、分割したそれぞれを合わせることにより、シリンダロッド１３ａの外周全体を覆うようにしてもよい。具体的には、分割した両者をボルト等で締結してもよいし、接着剤等で接着してもよい。このため、嵌め込みやすく、取付作業や交換作業が容易である。また、全体を覆うことで、確実にシリンダロッド１３ａ外周に付着あるいは溶着した塵芥を掻き取ることができる。
【００５４】
掻取部材３３は、シリンダロッド１３ａ外周の少なくとも一部を覆うようにしてもよい。すなわち、掻取部材３３は、シリンダロッド１３ａ外周の全体を覆ってもよく、摺動用開口３１側のみを覆ってもよい。
【００５５】
なお、以上の実施形態は、本質的に好ましい例示であって、本発明、その適用物や用途の範囲を制限することを意図するものではない。
【産業上の利用可能性】
【００５６】
以上説明したように、本発明は、塵芥投入箱内において摺動シリンダの伸縮動作により上下方向に摺動自在な摺動板を備えた塵芥収集車について有用である。
【図面の簡単な説明】
【００５７】
【図１】塵芥収集車の後部を示す側面から見た側断面図である。
【図２】塵芥投入箱における摺動用開口及びその周辺を拡大して示す側面図である。
【図３】塵芥掻取手段及びその周辺を拡大して示す側面図である。
【図４】図３をIV方向から見た矢視図である。
【図５】掻取部材の平面図である。
【図６】支持用ブラケットを示し、（ａ）が正面図で、（ｂ）が側面図である。
【図７】Ｕボルトの平面図である。
【図８】塵芥積込装置の上昇終了位置を説明する概略図である。
【図９】塵芥積込装置の反転終了位置を説明する概略図である。
【図１０】塵芥積込装置の下降終了位置を説明する概略図である。
【図１１】塵芥積込装置の最前方位置の状態を説明する概略図である。
【符号の説明】
【００５８】
１      塵芥収集車
３      塵芥収容箱
４      後方開口部
７      投入口
１０      摺動板
１２      摺動板支持軸
１３      摺動シリンダ
１３ａ    シリンダロッド
１３ｂ    シリンダチューブ
１４      揺動シリンダ
１５      圧縮板
３０      塵芥積込装置
３１      摺動用開口
３２      塵芥掻取手段
３３      掻取部材
３３ｃ    スリット
３５      支持用ブラケット
４２      Ｕボルト
５５      塵芥
【図１】
0004823777.tif 000002
【図２】
0004823777.tif 000003
【図３】
0004823777.tif 000004
【図４】
0004823777.tif 000005
【図５】
0004823777.tif 000006
【図６】
0004823777.tif 000007
【図７】
0004823777.tif 000008
【図８】
0004823777.tif 000009
【図９】
0004823777.tif 000010
【図１０】
0004823777.tif 000011
【図１１】
0004823777.tif 000012